(57)【要約】【課題】  電子辞書などの情報表示装置で、見出語一覧でも見出語の対応情報でも、同様の操作により適切に見出語や行を指定して順次拡大表示することができる。【解決手段】  見出語の一覧表示において、先頭の見出語が指定表示され、ズームウィンドウが設定されて指定見出語の情報が拡大表示され、ユーザにより指定見出語が変更されると変更された指定見出語の情報が拡大表示される。さらに、見出語の対応情報の全画面表示において、先頭行の情報が指定表示され、ズームウィンドウＺ１に先頭行の情報が拡大表示され、ユーザにより指定行が変更されると変更された行の情報が拡大表示される。【選択図】      図５
2006331443.tif 000002
【特許請求の範囲】
【請求項１】
複数の見出語と該見出語のそれぞれに対応する情報とを記憶する情報記憶手段と、
この情報記憶手段に記憶された複数の見出語を一覧表示する見出語表示手段と、
この見出語表示手段により表示された先頭の見出語を、前記一覧表示された複数の見出語の中から指定表示するとともに当該指定見出語の情報を表示するための第１のウィンドウ表示エリアを表示部の所定位置に設定する第１のウィンドウ設定手段と、
この第１のウィンドウ設定手段により設定された第１のウィンドウ表示エリアに、前記指定見出語の情報を拡大して表示する第１の拡大表示手段と、
この第１の拡大表示手段により前記指定見出語の情報が拡大して表示された状態で、ユーザによる移動操作が検知された場合に、前記指定見出語を移動操作後の見出語に変更するとともに、この移動後に指定表示された指定見出語の情報を前記第１のウィンドウ表示エリアに拡大して表示する第１の移動拡大表示手段と、
この第１の移動拡大表示手段により移動後に指定表示された指定見出語の情報が前記表示部の所定エリアに拡大して表示された状態で、ユーザによる決定操作が検知された場合に、前記移動後の指定見出語に対応する情報を前記表示部の全画面に表示する全画面表示手段と、
この全画面表示手段により指定見出語に対応する情報が前記表示部の全画面に表示された状態で、ユーザによる拡大操作が検知された際に、前記表示部の先頭行の情報を指定表示するとともに、表示部の所定エリアに設定された第２のウィンドウ表示エリアに、当該指定表示された情報を拡大して表示する第２の拡大表示手段と、
この第２の拡大表示手段により前記指定表示された情報が拡大して表示された状態で、ユーザによる移動操作が検知された場合に、前記指定表示される行を移動操作に応じて移動するとともに、この移動後に指定表示された情報を前記第２のウィンドウ表示エリアに拡大して表示する第２の移動拡大表示手段と、
を備えたことを特徴とする情報表示装置。
【請求項２】
前記第２のウィンドウ表示エリアに拡大して表示された文字をさらに拡大して表示する再拡大表示手段を有することを特徴とする請求項１に記載の情報表示装置。
【請求項３】
コンピュータを制御して情報を表示させるための情報表示処理プログラムを記憶した記憶媒体であって、
前記コンピュータを、
複数の見出語と該見出語のそれぞれに対応する情報とを記憶する情報記憶手段、
この情報記憶手段に記憶された複数の見出語を表示部に一覧表示する見出語表示手段手段、
この見出語表示手段により表示された先頭の見出語を、前記一覧表示された複数の見出語の中から指定表示するとともに当該指定見出語の情報を表示するための第１のウィンドウ表示エリアを表示部の所定位置に設定する第１のウィンドウ設定手段、
この第１のウィンドウ設定手段により設定された第１のウィンドウ表示エリアに、前記指定見出語の情報を拡大して表示する第１の拡大表示手段、
この第１の拡大表示手段により前記指定見出語の情報が拡大して表示された状態で、ユーザによる移動操作が検知された場合に、前記指定見出語を移動操作後の見出語に変更するとともに、この移動後に指定表示された指定見出語の情報を前記第１のウィンドウ表示エリアに拡大して表示する第１の移動拡大表示手段、
この第１の移動拡大表示手段により移動後に指定表示された指定見出語の情報が前記表示部の所定エリアに拡大して表示された状態で、ユーザによる決定操作が検知された場合に、前記移動後の指定見出語に対応する情報を前記表示部の全画面に表示する全画面表示手段、
この全画面表示手段により指定見出語に対応する情報が前記表示部の全画面に表示された状態で、ユーザによる拡大操作が検知された際に、前記表示部の先頭行の情報を指定表示するとともに、表示部の所定エリアに設定された第２のウィンドウ表示エリアに、当該指定表示された情報を拡大して表示する第２の拡大表示手段、
この第２の拡大表示手段により前記指定表示された情報が拡大して表示された状態で、ユーザによる移動操作が検知された場合に、前記指定表示される行を移動操作に応じて移動するとともに、この移動後に指定表示された情報を前記第２のウィンドウ表示エリアに拡大して表示する第２の移動拡大表示手段、
として機能させるようにしたコンピュータ読み込み可能な情報表示処理プログラムを記憶した記憶媒体。
【発明の詳細な説明】
【技術分野】
【０００１】
本発明は、データベースから所望のデータを選択して表示する電子辞書などの情報表示装置及び情報表示処理プログラムを記憶した記憶媒体に関する。
【背景技術】
【０００２】
近年、国語辞典や英和辞典，和英辞典などを予めデータベースとしてメモリに集録しておき、このデータベース内で調べたい言葉を、キー入力による所望の見出語から検索してその意味内容や訳を表示するようにした、所謂、電子辞書装置が広く一般に利用されている。
【０００３】
このような電子辞書装置では、小型・軽量で携帯性の良いことが望まれるため、表示画面の大きさも自ずとある程度の大きさに制限される。よって、見出語などから検索されてその表示画面に表示される対訳や意味内容の文字列は、細かい文字がぎっしり詰まった状態で表示され、視力の低いユーザや高齢のユーザにとっては、非常に見づらいものとなっている。
【発明の開示】
【発明が解決しようとする課題】
【０００４】
このため、従来の電子辞書装置にはズーム機能が備わっており、検索された語句の文字列を通常の文字サイズより若干大きなサイズの文字列にして拡大表示することが出来るが、それでも字画が多く複雑な文字や難しい文字は十分明らかに読み取ることが出来ない問題があった。
【０００５】
また、前記従来の電子辞書装置では、検索された対訳や意味内容の文字列についてズーム機能による拡大表示を行うことは出来たものの、例えば見出語の一覧表示画面ではズームを機能させることは出来ず、前記同様に視力の低いユーザや高齢のユーザによって、この見出語の一覧表示の中から所望の語句を探すのは非常に見づらく探しにくい問題がある。
【０００６】
本発明は、前記のような問題に鑑みなされたもので、その目的は、指定された見出語を拡大表示することが可能になり、また選択見出語の訳等の情報を拡大表示することが可能になる情報表示装置及び情報表示処理プログラムを記憶した記憶媒体を提供することにある。
【課題を解決するための手段】
【０００７】
本発明の請求項１に係る情報表示装置は、複数の見出語と該見出語のそれぞれに対応する情報とを記憶する情報記憶手段（データベースメモリ１２ａ、［００１８］）と、この情報記憶手段に記憶された複数の見出語を一覧表示する見出語表示手段（図１のＣＰＵ１１、図９のＣ１７、図５の（Ｂ２）［００７３］）と、この見出語表示手段により表示された先頭の見出語を、前記一覧表示された複数の見出語の中から指定表示するとともに当該指定見出語の情報を表示するための第１のウィンドウ表示エリアを表示部の所定位置に設定する第１のウィンドウ設定手段（図１のＣＰＵ１１、図９のＣ１７「一段ズームウィンドウ」、図５の（Ｂ２）、［００７３］）と、この第１のウィンドウ設定手段により設定された第１のウィンドウ表示エリアに、前記指定見出語の情報を拡大して表示する第１の拡大表示手段（図１のＣＰＵ１１、図９のＣ１７、図５（Ｂ２）、［００７３］）と、この第１の拡大表示手段により前記指定見出語の情報が拡大して表示された状態で、ユーザによる移動操作が検知された場合に、前記指定見出語を移動操作後の見出語に変更するとともに、この移動後に指定表示された指定見出語の情報を前記第１のウィンドウ表示エリアに拡大して表示する第１の移動拡大表示手段（図１のＣＰＵ１１、図１２のＦ３→Ｆ４、図５（Ｃ２）、［００９７］［００９８］）と、この第１の移動拡大表示手段により移動後に指定表示された指定見出語の情報が前記表示部の所定エリアに拡大して表示された状態で、ユーザによる決定操作が検知された場合に、前記移動後の指定見出語に対応する情報を前記表示部の全画面に表示する全画面表示手段（図１のＣＰＵ１１、図９のＣ１０、図５（Ｄ２）、［００７５］）と、この全画面表示手段により指定見出語に対応する情報が前記表示部の全画面に表示された状態で、ユーザによる拡大操作が検知された際に、前記表示部の先頭行の情報を指定表示するとともに、表示部の所定エリアに設定された第２のウィンドウ表示エリアに、当該指定表示された情報を拡大して表示する第２の拡大表示手段（図１のＣＰＵ１１、図９のＣ１０、図５（Ｄ２）、［００７５］）と、この第２の拡大表示手段により前記指定表示された情報が拡大して表示された状態で、ユーザによる移動操作が検知された場合に、前記指定表示される行を移動操作に応じて移動するとともに、この移動後に指定表示された情報を前記第２のウィンドウ表示エリアに拡大して表示する第２の移動拡大表示手段（図１のＣＰＵ１１、図１２のＦ８、図５（Ｄ２）、［００９９］）と、を備えたことを特徴とする。
【０００８】
このような本発明の請求項１に係る情報表示装置では、情報記憶手段に記憶された複数の見出語を一覧表示し、先頭の見出語を指定表示して第１のウィンドウ表示エリアを設定して、その見出語の情報を拡大表示して、ユーザが移動操作するとその方向の指定見出語に変更されるとともに、その指定見出語の情報を拡大表示する。さらに、ユーザが決定操作すると指定見出語に対応する情報を全画面表示し、ユーザによる拡大操作が検知されると、第２のウィンドウ表示エリアに、当該指定表示された情報を拡大して表示し、さらにユーザが移動操作するとその方向に指定行が変更されるとともに、その指定行の情報を拡大表示される。このように、見出語一覧状態でも見出語に対応する訳等の情報の表示状態でも、同様の操作により指定見出語や指定行の情報がウィンドウに拡大表示され、統一された分かりやすい操作系により辞書データの必要な部分を、容易に大きく拡大表示して読み取り出来ることになる。
【０００９】
本発明の請求項２に係る情報表示装置は、前記第２のウィンドウ表示エリアに拡大して表示された文字をさらに拡大して表示する再拡大表示手段（図１のＣＰＵ１１、図１０のＥ１１、図４（Ｄ）、［００８３］）を有することを特徴とする。
【００１０】
このような本発明の請求項２に係る情報表示装置では、見出語に対応する情報がウィンドウに拡大表示された状態で、さらに拡大することができ、たとえば漢字の細かな形状等を適宜２段拡大表示して容易に読み取り出来ることになる。
【発明を実施するための最良の形態】
【００１１】
以下、図面を参照して本発明の実施の形態について説明する。
【００１２】
図１は、本発明の情報表示装置の実施形態に係る電子辞書装置の電子回路の構成を示すブロック図である。
【００１３】
この電子辞書装置１０は、コンピュータである制御部（ＣＰＵ）１１を備えている。
【００１４】
この制御部（ＣＰＵ）１１は、ハードディスクやフラュシュメモリ（ＥＥＰＲＯＭ）などを使用してなるメモリ１２に予め記憶されたシステムプログラムや電子辞書制御プログラム、あるいはフロッピディスクなどの外部記憶媒体１３から磁気ディスク装置などの記憶媒体読取部１４を介してメモリ１２に書き込まれた電子辞書装置１０の制御プログラム、あるいは外部の通信ネットワークＮに接続されたコンピュータ端末から電送制御部１５を介して取り込まれ前記メモリ１２に記憶された電子辞書装置１０の制御プログラムに従って、回路各部の動作を制御するものである。
【００１５】
これら電子辞書装置１０のシステムプログラムや電子辞書制御プログラムは、キー入力部１６からのキー入力信号に応じて起動される。
【００１６】
この制御部（ＣＰＵ）１１には、前記メモリ１２、記憶媒体読取部１４、電送制御部１５、入力部１６が接続される他に、表示部１７が接続される。
【００１７】
前記メモリ１２には、この電子辞書装置１０の全体の動作を司るシステムプログラム、電子辞書制御プログラムなど、この電子辞書装置１０に搭載された辞書検索機能を司るソフトウエアが予め記憶されると共に、データベースメモリ１２ａ、状態フラグメモリ１２ｂ、ズームモードメモリ１２ｃ、ズーム状態メモリ１２ｄ、検索語メモリ１２ｅ、指定行有無メモリ１２ｆ、指定行データメモリ１２ｇ、及び各種の辞書検索機能の動作によって一時的に保存が必要なデータを記憶するためのワークエリアが確保される。
【００１８】
データベースメモリ１２ａには、国語辞書，英和辞書，和英辞書など、それぞれ多数の見出語とその対訳あるいは意味内容とを対応付けてなる種々の辞書データが予め記憶される。
【００１９】
状態フラグメモリ１２ｂには、電子辞書装置１０の現在の動作状態が、検索文字を入力するための検索語入力の状態である場合に検索語入力フラグ(1)、この検索語に基づき前記データベースメモリ１２ａから検索された見出語のリスト表示状態である場合に見出語リストフラグ(2)、前記検索語に基づく完全一致検索又は前記見出語の指定に基づき前記データベースメモリ１２ａから選択的に読み出された訳や意味内容などの情報表示状態である場合に情報表示フラグ(3)がそれぞれセットされる。
【００２０】
ズームモードメモリ１２ｃには、前記見出語のリスト表示及び情報表示がなされる初期の状態から１段のズーム表示を行うためのズームモードのオン／オフデータがセットされる。
【００２１】
ズーム状態メモリ１２ｄには、現在のズームの状態を示すデータが、全表示文字を１６ドットの標準文字サイズとして表示する（ズーム無し）、指定行の文字を２４ドットの１段拡大文字サイズとして表示する（１段ズーム）、指定行の文字を４８ドットの２段拡大文字サイズとして表示する（２段ズーム）の何れかとしてセットされる。
【００２２】
検索語メモリ１２ｅには、前記検索語入力の状態で文字入力された検索語の文字列が記憶される。
【００２３】
指定行有無メモリ１２ｆには、前記見出語のリスト表示状態及び情報表示状態において、表示画面上で反転表示によるカーソル指定行Ｋが有るか無いかを示すデータが記憶される。
【００２４】
指定行データメモリ１２ｇには、前記見出語のリスト表示状態及び情報表示状態において、反転表示されたカーソル指定行Ｋの文字列データが抽出されて記憶される。
【００２５】
また、キー入力部１６は、各種の文字，数字，記号を入力するためのキー群からなる文字入力キー１６ａ、ズームモードの設定（オン）／設定解除（オフ）を指示するための「ズームモード」キー１６ｂ、ズーム状態（無し／１段／２段）の変更を指示するための「ズーム」キー１６ｃ、検索語に対応する訳の検索表示あるいは見出語に対応する訳の選択表示を指示するための「訳／決定」キー１６ｄ、辞書検索に伴う一連の動作状態を１つ手前の状態へ戻すための「戻る／リスト」キー１６ｅ、見出語のリスト表示状態及び情報表示状態において表示対象データのページの変更を指示するための「△前ページ」キー１６ｆ，「▽次ページ」キー１６ｇ、見出語のリスト表示状態及び情報表示状態において反転表示されるカーソル指定行Ｋの上下方向への移動を指示するための「↑カーソル」キー１６ｈ，「↓カーソル」キー１６ｉの他、辞書検索のための種々のキーを備えている。
【００２６】
次に、前記構成による電子辞書装置１０の動作の概要について、図２及び図３における状態遷移図を参照して説明する。
【００２７】
図２は前記電子辞書装置１０でズームモード（オン）に設定されている場合の動作状態の移り変わりを示す状態遷移図である。
【００２８】
図３は前記電子辞書装置１０でズームモード（オフ）に設定されている場合の動作状態の移り変わりを示す状態遷移図である。
【００２９】
図４は前記電子辞書装置１０でズームモード（オフ）に設定されている場合の辞書検索動作に伴う検索情報のズーム操作表示状態を示す図である。
【００３０】
図５は前記電子辞書装置１０における見出語からの辞書検索動作に伴う見出語リスト及び検索情報のズーム操作表示状態を示す図である。
【００３１】
まず、図２に基づいて、メモリ１２内のズームモードメモリ１２ｃにズームモード（オン）のデータがセットされている場合の動作状態の移り変わりについて説明する。
【００３２】
状態フラグメモリ１２ｂに検索語入力フラグ(1)がセットされている検索語入力画面Ｘ（図４（Ａ）又は図５（Ａ）参照）の表示状態で、文字入力キー１６ａが操作されると、当該検索語入力画面Ｘで検索語の入力表示が行われる。
【００３３】
また、検索語入力画面Ｘの表示状態で、「訳／決定」キー１６ｄが操作された際に、検索語に完全に一致する見出語がデータベースメモリ１２ａから検索された場合には、状態フラグメモリ１２ｂに情報表示フラグ(3)がセットされ、当該検索された見出語に対応する訳（意味内容）が１段ズームの情報表示画面Ｚ１（図４（Ｃ）又は図５（Ｄ２）参照）として表示される。一方、検索語に完全一致する見出語がデータベースメモリ１２ａから検索されない場合には、該検索語に一部一致する複数の見出語が検索されて状態フラグメモリ１２ｂに見出語リストフラグ(2)がセットされ、当該検索された複数の見出語が１段ズームの見出語リスト画面Ｙ１（図５（Ｂ２）参照）として表示される。
【００３４】
この１段ズームの見出語リスト画面Ｙ１の表示状態で、「△前ページ」キー１６ｆあるいは「▽次ページ」キー１６ｇが操作されると、現在表示中の見出語リストの前ページあるいは次ページの見出語リストに切り替え表示され、「上カーソル」キー１６ｈあるいは「下カーソル」キー１６ｉが操作されると、当該見出語リスト中のカーソル指定行Ｋが上あるいは下に移動表示される（図５（Ｂ２）（Ｃ２）参照）。また、「訳／決定」キー１６ｄが操作されると、カーソル指定行Ｋの見出語に対応する訳（意味内容）がデータベースメモリ１２ａから読み出されて状態フラグメモリ１２ｂに情報表示フラグ(3)がセットされ、１段ズームの情報表示画面Ｚ１（図５（Ｄ２）参照）として表示される。
【００３５】
この１段ズームの情報表示画面Ｚ１の表示状態で、「△前ページ」キー１６ｆあるいは「▽次ページ」キー１６ｇが操作されると、現在表示中の訳（意味内容）の前ページあるいは次ページの訳（意味内容）に切り替え表示され、「上カーソル」キー１６ｈあるいは「下カーソル」キー１６ｉが操作されると、当該訳（意味内容）の表示行中のカーソル指定行Ｋが上あるいは下に移動表示される。また、「ズーム」キー１６ｃが操作されると、カーソル指定行Ｋの訳（意味内容）の文字列が指定行データメモリ１２ｇから読み出されて、２段ズームの情報表示画面Ｚ２（図４（Ｄ）参照）として表示される。
【００３６】
この２段ズームの情報表示画面Ｚ２の表示状態で、「△前ページ」キー１６ｆあるいは「▽次ページ」キー１６ｇが操作されると、現在表示中の訳（意味内容）の前ページあるいは次ページの訳（意味内容）に切り替えられて拡大表示され、「上カーソル」キー１６ｈあるいは「下カーソル」キー１６ｉが操作されると、当該訳（意味内容）の拡大表示行中のカーソル指定行Ｋが上あるいは下に移動されて拡大表示される。
【００３７】
そして、前記２段ズームの情報表示画面Ｚ２で、「戻る／リスト」キー１６ｅが操作されると、１段ズームの情報表示画面Ｚ１の表示状態に戻り、この１段ズームの情報表示画面Ｚ１で、「戻る／リスト」キー１６ｅが操作されると、１段ズームの見出語リスト画面Ｙ１の表示状態に戻り、さらに、この１段ズームの見出語リスト画面Ｙ１で、「戻る／リスト」キー１６ｅが操作されると、前記検索語入力画面Ｘの表示状態に戻る。
【００３８】
次に、図３に基づいて、メモリ１２内のズームモードメモリ１２ｃにズームモード（オフ）のデータがセットされている場合の動作状態の移り変わりについて説明する。
【００３９】
状態フラグメモリ１２ｂに検索語入力フラグ(1)がセットされている検索語入力画面Ｘ（図４（Ａ）又は図５（Ａ）参照）の表示状態で、文字入力キー１６ａが操作されると、当該検索語入力画面Ｘで検索語の入力表示が行われる。
【００４０】
また、検索語入力画面Ｘの表示状態で、「訳／決定」キー１６ｄが操作された際に、検索語に完全に一致する見出語がデータベースメモリ１２ａから検索された場合には、状態フラグメモリ１２ｂに情報表示フラグ(3)がセットされ、当該検索された見出語に対応する訳（意味内容）がズーム無しの情報表示画面Ｚ０（図４（Ｂ））として表示される。一方、検索語に完全一致する見出語がデータベースメモリ１２ａから検索されない場合には、該検索語に一部一致する複数の見出語が検索されて状態フラグメモリ１２ｂに見出語リストフラグ(2)がセットされ、当該検索された複数の見出語がズーム無しの見出語リスト画面Ｙ０（図５（Ｂ１）参照）として表示される。
【００４１】
このズーム無しの見出語リスト画面Ｙ０の表示状態で、「△前ページ」キー１６ｆあるいは「▽次ページ」キー１６ｇが操作されると、現在表示中の見出語リストの前ページあるいは次ページの見出語リストに切り替え表示され、「上カーソル」キー１６ｈあるいは「下カーソル」キー１６ｉが操作されると、当該見出語リスト中のカーソル指定行Ｋが上あるいは下に移動表示される（図５（Ｂ１）（Ｃ１）参照）。また、「ズーム」キー１６ｃが操作されると、カーソル指定行Ｋの見出語の文字列が読み出されて、１段ズームの見出語リスト画面Ｙ１（図５（Ｂ２）（Ｃ２）参照）として表示される。
【００４２】
この１段ズームの見出語リスト画面Ｙ１の表示状態で、「△前ページ」キー１６ｆあるいは「▽次ページ」キー１６ｇが操作されると、現在表示中の見出語リストの前ページあるいは次ページの見出語リストに切り替え表示され、「上カーソル」キー１６ｈあるいは「下カーソル」キー１６ｉが操作されると、当該見出語リスト中のカーソル指定行Ｋが上あるいは下に移動表示される（図５（Ｂ２）（Ｃ２）参照）。
【００４３】
また、前記ズーム無しの見出語リスト画面Ｙ０又は１段ズームの見出語リスト画面Ｙ１の表示状態で、「訳／決定」キー１６ｄが操作されると、カーソル指定行Ｋの見出語に対応する訳（意味内容）がデータベースメモリ１２ａから読み出されて状態フラグメモリ１２ｂに情報表示フラグ(3)がセットされ、ズーム無しの情報表示画面Ｚ０（図５（Ｄ１）参照）として表示される。
【００４４】
このズーム無しの情報表示画面Ｚ０の表示状態で、「△前ページ」キー１６ｆあるいは「▽次ページ」キー１６ｇが操作されると、現在表示中の訳（意味内容）の前ページあるいは次ページの訳（意味内容）に切り替え表示される。また、「ズーム」キー１６ｃが操作されると、カーソル指定行Ｋの訳（意味内容）の文字列が読み出されて、１段ズームの情報表示画面Ｚ１（図４（Ｃ）又は図５（Ｄ２）参照）として表示される。
【００４５】
この１段ズームの情報表示画面Ｚ１の表示状態で、「△前ページ」キー１６ｆあるいは「▽次ページ」キー１６ｇが操作されると、現在表示中の訳（意味内容）の前ページあるいは次ページの訳（意味内容）に切り替え表示され、「上カーソル」キー１６ｈあるいは「下カーソル」キー１６ｉが操作されると、当該訳（意味内容）の表示行中のカーソル指定行Ｋが上あるいは下に移動表示される。また、さらに「ズーム」キー１６ｃが操作されると、カーソル指定行Ｋの訳（意味内容）の文字列が読み出されて、２段ズームの情報表示画面Ｚ２（図４（Ｄ）参照）として表示される。
【００４６】
この２段ズームの情報表示画面Ｚ２の表示状態で、「△前ページ」キー１６ｆあるいは「▽次ページ」キー１６ｇが操作されると、現在表示中の訳（意味内容）の前ページあるいは次ページの訳（意味内容）に切り替えられて拡大表示され、「上カーソル」キー１６ｈあるいは「下カーソル」キー１６ｉが操作されると、当該訳（意味内容）の拡大表示行中のカーソル指定行Ｋが上あるいは下に移動されて拡大表示される。また、さらに「ズーム」キー１６ｃが操作されると、前記ズーム無しの情報表示画面Ｚ０の表示状態に戻る。
【００４７】
そして、前記１段ズームの見出語リスト画面Ｙ１で、「戻る／リスト」キー１６ｅが操作されると、ズーム無しの見出語リスト画面Ｙ０の表示状態に戻る。
【００４８】
また、前記２段ズームの情報表示画面Ｚ２で、「戻る／リスト」キー１６ｅが操作されると、１段ズームの情報表示画面Ｚ１の表示状態に戻り、この１段ズームの情報表示画面Ｚ１で、「戻る／リスト」キー１６ｅが操作されると、ズーム無しの情報表示画面Ｚ０の表示状態に戻り、このズーム無しの情報表示画面Ｚ０で、「戻る／リスト」キー１６ｅが操作されると、ズーム無しの見出語リスト画面Ｙ０の表示状態に戻り、さらに、このズーム無しの見出語リスト画面Ｙ０で、「戻る／リスト」キー１６ｅが操作されると、前記検索語入力画面Ｘの表示状態に戻る。
【００４９】
次に、前記構成による電子辞書装置１０の動作の詳細について、図６乃至図１３におけるフローチャートを参照して説明する。
【００５０】
図６は前記電子辞書装置１０における辞書検索機能のメイン処理を示すフローチャートである。
【００５１】
本電子辞書装置１０の電源が投入されると、図６におけるメイン処理が起動され、メモリ１２内の状態フラグメモリ１２ｂに対して検索語入力フラグ(1)がセットされ（ステップＳ１）、検索語メモリ１２ｅの記憶データがクリアされる（ステップＳ２）。
【００５２】
すると、例えば図４（Ａ）あるいは図５（Ａ）に示すように、辞書検索したい見出の語句を文字入力するための検索語入力画面Ｘが表示部１７に表示される（ステップＳ３）。
【００５３】
この後、入力部１６における各種のキー操作に応じて、各対応するキー処理（図７〜図１３参照）が起動され、ユーザ操作に従った辞書データの検索表示制御が実行される（ステップＳ４→Ｓ５）。
【００５４】
図７は前記電子辞書装置１０における「文字入力」キー１６ａの操作対応処理を示すフローチャートである。
【００５５】
入力部１６における「文字入力」キー１６ａが操作されると、メモリ１２内の状態フラグメモリ１２ｂに検索語入力フラグ(1)がセットされているか否か判断され、当該検索語入力フラグ(1)がセットされていると判断された場合、つまり図４（Ａ）あるいは図５（Ａ）に示すように、検索語入力画面Ｘが表示部１７に表示されている場合には、前記「文字入力」キー１６ａの操作に従った文字データが検索語として入力され、検索語メモリ１２ｅに記憶されるのと共に、前記検索語入力画面Ｘの検索文字として表示出力される（ステップＡ１→Ａ２，Ａ３）。
【００５６】
図８は前記電子辞書装置１０における「ズームモード」キー１６ｂの操作対応処理を示すフローチャートである。
【００５７】
入力部１６における「ズームモード」キー１６ｂが操作されると、メモリ１２内のズームモードメモリ１２ｃにセットされているズームモードデータが読み出され、現在のズームモードが「ズームオフ」か否か判断される（ステップＢ１）。
【００５８】
ここで、現在のズームモードが「ズームオフ」であると判断された場合には、当該ズームモードメモリ１２ｃに対して「ズームオン」のズームモードデータがセットされた後（ステップＢ１→Ｂ２）、ズーム状態メモリ１２ｄにセットされているズーム状態データが読み出され、現在のズーム状態が（ズーム無し）又は（１段ズーム）（２段ズーム）の何れであるか判断される（ステップＢ３）。
【００５９】
そして、現在のズーム状態は（ズーム無し）であると判断された場合には、状態フラグメモリ１２ｂに対し検索語入力フラグ(1)がセットされているか否か、つまり、現在が検索語入力画面Ｘ（図４（Ａ）又は図５（Ａ）参照）の表示状態であるか否か判断される（ステップＢ３→Ｂ４）。
【００６０】
ここで、検索語入力画面Ｘの表示状態ではない、つまり、状態フラグメモリ１２ｂに見出語リストフラグ(2)がセットされているズーム無し見出語リスト画面Ｙ０（図５（Ｂ１）（Ｃ１）参照）の表示状態であるか、あるいは情報表示フラグ(3)がセットされているズーム無し情報表示画面Ｚ０（図４（Ｂ）又は図５（Ｄ１）参照）の表示状態であると判断された場合には、前記ズーム状態メモリ１２ｄに対して（１段ズーム）の状態データがセットされ（ステップＢ４→Ｂ５）、指定行データメモリ１２ｇに記憶されているカーソル指定行Ｋの文字列データが１６ドットの通常文字サイズから２４ドットの１段ズームの文字サイズに拡大され、１段ズーム見出語リスト画面Ｙ１（図５（Ｂ２）（Ｃ２）参照）あるいは１段ズーム情報表示画面Ｚ１（図４（Ｃ）又は図５（Ｄ２）参照）として表示される（ステップＢ６）。
【００６１】
一方、前記ステップＢ３において、現在のズーム状態が（１段ズーム）か（２段ズーム）であると判断された場合、又は（ズーム無し）と判断されても、現在検索語入力フラグ(1)がセットされている検索語入力画面Ｘ（図４（Ａ）又は図５（Ａ）参照）の表示状態であると判断された場合には、そのままの状態でこの「ズームモード」キー１６ｂの操作対応処理は終了される（ステップＢ３orＢ４→リターン）。
【００６２】
また、前記ステップＢ１において、現在のズームモードが「ズームオン」であると判断された場合には、当該ズームモードメモリ１２ｃに対して「ズームオフ」のズームモードデータがセットされた後（ステップＢ１→Ｂ７）、ズーム状態メモリ１２ｄにセットされているズーム状態データが読み出され、現在のズーム状態が（ズーム無し）又は（１段ズーム）（２段ズーム）の何れであるか判断される（ステップＢ８）。
【００６３】
ここで、ズーム状態メモリ１２ｄにセットされているズーム状態データが（１段ズーム）あるいは（２段ズーム）となっており、１段ズームによる見出語リスト画面Ｙ１や１段ズーム，２段ズームによる情報表示画面Ｚ１，Ｚ２の何れかの表示状態であると判断された場合には、前記ズーム状態メモリ１２ｄに対して（ズーム無し）の状態データがセットされ（ステップＢ８→Ｂ９）、１２ドットの通常文字サイズによるズーム無し見出語リスト画面Ｙ０やズーム無し情報表示画面Ｚ０の表示状態に戻される（ステップＢ１０）。
【００６４】
一方、前記ステップＢ８において、現在のズーム状態が（ズーム無し）であると判断された場合には、そのままの状態でこの「ズームモード」キー１６ｂの操作対応処理は終了される（ステップＢ８→リターン）。
【００６５】
図９は前記電子辞書装置１０における「訳／決定」キー１６ｄの操作対応処理を示すフローチャートである。
【００６６】
入力部１６における「訳／決定」キー１６ｄが操作されると、状態フラグメモリ１２ｂにセットされている状態フラグが検索語入力フラグ(1)であるか否か判断される（ステップＣ１）。
【００６７】
ここで、状態フラグメモリ１２ｂに対し検索語入力フラグ(1)がセットされている、例えば図４（Ａ）あるいは図５（Ａ）に示すような検索語入力画面Ｘの表示状態であると判断されると、この検索語入力画面Ｘにおいて入力された検索語の文字列が検索語メモリ１２ｅから読み出され、データベースメモリ１２ａに記憶されている辞書データベースの中から一致する文字列の見出語が検索される（ステップＣ１→Ｃ２）。
【００６８】
例えば図４（Ａ）で示したように、検索語入力画面Ｘにおいて入力された検索語「あいだ」についてデータベースメモリ１２ａの検索が行われ、完全一致する見出語「あいだ」［間］が検索された場合には、状態フラグメモリ１２ｂに対し情報表示フラグ(3)がセットされ（ステップＣ３→Ｃ４）、この検索された見出語「あいだ」［間］に対応する訳データが辞書データベースから読み出される（ステップＣ５）。
【００６９】
すると、ズームモードメモリ１２ｃにセットされているズームモードデータに基づき現在のズームモードが「ズームオフ」か否か判断され（ステップＣ６）、「ズームオフ」であると判断された場合には、ズーム状態メモリ１２ｄに対して（ズーム無し）の状態データがセットされた後（ステップＣ６→Ｃ７）、図４（Ｂ）に示すように、前記検索された見出語「あいだ」［間］とその訳データがズーム無し情報表示画面Ｚ０として表示部１７に表示される（ステップＣ８）。
【００７０】
一方、前記ステップＣ６において、「ズームオン」であると判断された場合には、ズーム状態メモリ１２ｄに対して（１段ズーム）の状態データがセットされ（ステップＣ６→Ｃ９）、例えば図４（Ｃ）に示すように、前記検索された見出語「あいだ」［間］とその訳データが、そのカーソル指定行Ｋの文字列を２４ドットの文字サイズに拡大してウインドウ表示する１段ズームの情報表示画面Ｚ１として表示部１７に表示される（ステップＣ１０）。
【００７１】
一方、前記ステップＣ１〜Ｃ３において、例えば図５（Ａ）で示したように、検索語入力画面Ｘにおいて入力された検索語「あいたあ」についてデータベースメモリ１２ａの検索が行われ、完全一致の見出語は検索されず一部一致する複数の見出語「あいだ」［間］，「あいたい」［相対］，「あいたい・する」［相対する］，…が検索された場合には、状態フラグメモリ１２ｂに対し見出語リストフラグ(2)がセットされ（ステップＣ３→Ｃ１１）、この一部一致で検索された複数の見出語「あいだ」［間］，「あいたい」［相対］，「あいたい・する」［相対する］，…が辞書データベースから読み出される（ステップＣ１２）。
【００７２】
ここで、ズームモードメモリ１２ｃにセットされているズームモードデータに基づき現在のズームモードが「ズームオフ」か否か判断され（ステップＣ１３）、「ズームオフ」であると判断された場合には、ズーム状態メモリ１２ｄに対して（ズーム無し）の状態データがセットされた後（ステップＣ１３→Ｃ１４）、図５（Ｂ１）に示すように、前記一部一致で検索されて読み出された複数の見出語「あいだ」［間］，「あいたい」［相対］，「あいたい・する」［相対する］，…がズーム無し見出語リスト画面Ｙ０として表示部１７に表示される（ステップＣ１５）。
【００７３】
一方、前記ステップＣ１３において、「ズームオン」であると判断された場合には、ズーム状態メモリ１２ｄに対して（１段ズーム）の状態データがセットされ（ステップＣ１３→Ｃ１６）、図５（Ｂ２）に示すように、前記一部一致で検索されて読み出された複数の見出語「あいだ」［間］，「あいたい」［相対］，「あいたい・する」［相対する］，…が、そのカーソル指定行Ｋの見出語文字列を２４ドットの文字サイズに拡大してウインドウ表示する１段ズームの見出語リスト画面Ｙ１として表示部１７に表示される（ステップＣ１７）。
【００７４】
また、前記ステップＣ１において、状態フラグメモリ１２ｂに対し検索語入力フラグ(1)がセットされてないと判断された場合に、見出語リストフラグ(2)がセットされている、例えば図５（Ｂ１）（Ｃ１）に示すようなズーム無し見出語リスト画面Ｙ０あるいは図５（Ｂ２）（Ｃ２）に示すような１段ズーム見出語リスト画面Ｙ１の表示状態であると判断された場合には、カーソル指定行Ｋで選択された見出語を検索語としてデータベースメモリ１２ａに対する検索処理が行われる（ステップＣ１８→Ｃ１９，Ｃ２）。
【００７５】
すると、前記ステップＣ３〜Ｃ１０の処理に従って、状態フラグメモリ１２ｂに対し情報表示フラグ(3)がセットされた後（ステップＣ４）、前記カーソル指定行Ｋの見出語に対応して辞書データベースから検索されて読み出された訳データが（ステップＣ５）、「ズームモードオフ」である場合には、（ズーム無し）の状態データがセットされ（ステップＣ６→Ｃ７）、例えば図５（Ｄ１）に示すように、ズーム無しの情報表示画面Ｚ０として表示される（ステップＣ８）。また、「ズームモードオン」である場合には、（１段ズーム）の状態データがセットされ（ステップＣ６→Ｃ９）、例えば図５（Ｄ２）に示すように、そのカーソル指定行Ｋの文字列を２４ドットの文字サイズに拡大してウインドウ表示する１段ズームの情報表示画面Ｚ１として表示部１７に表示される（ステップＣ１０）。
【００７６】
なお、この「訳／決定」キー１６ｄが操作された際に、状態フラグメモリ１２ｂに情報表示フラグ(3)がセットされている情報表示画面Ｚ０〜Ｚ２の何れかの表示状態にあると判断された場合には、既に検索された訳データの表示状態にあることでそのキー操作は無効とされる（ステップＣ１→Ｃ１８→リターン）。
【００７７】
図１０は前記電子辞書装置１０における「ズーム」キー１６ｃの操作対応処理を示すフローチャートである。
【００７８】
入力部１６における「ズーム」キー１６ｃが操作されると、状態フラグメモリ１２ｂにセットされている状態フラグが見出語リストフラグ(2)であるか否か判断される（ステップＥ１）。
【００７９】
ここで、状態フラグメモリ１２ｂに対し見出語リストフラグ(2)がセットされている、見出語リスト画面Ｙ０（図５（Ｂ１）（Ｃ１）参照），Ｙ１（図５（Ｂ２）（Ｃ２）参照）の何れかの表示状態にあると判断された場合には、さらに、そのときのズームモードデータが「ズームオン」か否か判断される（ステップＥ１→Ｅ２）。
【００８０】
ここで、「ズームオン」での既に１段ズームされた見出語リスト画面Ｙ１（図５（Ｂ２）（Ｃ２）参照）の表示状態にあると判断された場合には、前記「ズーム」キー１６ｃのキー操作は無効として処理される（ステップＥ２→リターン）。
【００８１】
一方、「ズームオフ」でズーム無しの見出語リスト画面Ｙ０（図５（Ｂ１）（Ｃ１）参照）の表示状態にあると判断された場合には、ズーム状態メモリ１２ｄに対して（１段ズーム）のズーム状態データがセットされ（ステップＥ２→Ｅ３）、図５（Ｂ２）あるいは図５（Ｃ２）で示すように、カーソル指定行Ｋの見出語文字列を２４ドットの文字サイズに拡大してウインドウ表示する１段ズームの見出語リスト画面Ｙ１が表示部１７に表示される（ステップＥ４）。
【００８２】
また、前記「ズーム」キー１６ｃが操作された際に、状態フラグメモリ１２ｂに対し情報表示フラグ(3)がセットされている、情報表示画面Ｚ０〜Ｚ２の何れかの表示状態にあると判断されると共に（ステップＥ５）、ズーム状態メモリ１２ｄに対し（ズーム無し）のズーム状態データがセットされているズーム無しの情報表示画面Ｚ０（図４（Ｂ）あるいは図５（Ｄ１）参照）の表示状態にあると判断された場合には（ステップＥ６「Ｎｏ」→Ｅ７「Ｎｏ」）、当該ズーム状態データが（１段ズーム）に書き換えられてセットされ（ステップＥ８）、図４（Ｃ）あるいは図５（Ｄ２）で示すように、カーソル指定行Ｋの文字列を２４ドットの文字サイズに拡大してウインドウ表示する１段ズームの情報表示画面Ｚ１が表示される（ステップＥ９）。
【００８３】
一方、前記ステップＥ７にて「Ｙｅｓ」、つまりズーム状態データとして（１段ズーム）がセットされており、例えば図４（Ｃ）で示すような１段ズームの情報表示画面Ｚ１の表示状態にあると判断された場合には、当該ズーム状態データが（２段ズーム）に書き換えられてセットされ（ステップＥ１０）、図４（Ｄ）で示すように、前記１段ズームの情報表示画面Ｚ１におけるカーソル指定行Ｋの文字列をさらに４８ドットの文字サイズに拡大してウインドウ表示する２段ズームの情報表示画面Ｚ２が表示される（ステップＥ１１）。
【００８４】
さらに、前記ステップＥ６にて「Ｙｅｓ」、つまりズーム状態データとして（２段ズーム）がセットされており、２段ズームの情報表示画面Ｚ２の表示状態にあると判断された場合には、そのときのズームモードデータが「ズームオン」にセットされているか否か判断される（ステップＥ１２）。
【００８５】
ここで、例えば図４（Ｄ）で示したように、「ズームオフ」にセットされている２段ズームの情報表示画面Ｚ２の表示状態にあると判断された場合には、前記ズーム状態データは（ズーム無し）に書き戻されてセットされ（ステップＥ１２→Ｅ１３）、図４（Ｂ）で示したようなズーム無しの情報表示画面Ｚ０に切り替え表示される（ステップＥ１４）。
【００８６】
一方、前記ステップＥ１２において「Ｙｅｓ」、つまり「ズームオン」にセットされている２段ズームの情報表示画面Ｚ２の表示状態にあると判断された場合には、より以上の拡大表示機能は備えないので、キー操作無効として処理される（ステップＥ１２→リターン）。
【００８７】
図１１は前記電子辞書装置１０における「戻る／リスト」キー１６ｅの操作対応処理を示すフローチャートである。
【００８８】
入力部１６における「戻る／リスト」キー１６ｅが操作されると、状態フラグメモリ１２ｂにセットされている状態フラグが見出語リストフラグ(2)であるか否か判断される（ステップＤ１）。
【００８９】
ここで、状態フラグメモリ１２ｂに対し見出語リストフラグ(2)がセットされている、見出語リスト画面Ｙ０，Ｙ１の何れかの表示状態にあると判断された場合には、さらに、そのときのズームモードデータが「ズームオフ」で、且つズーム状態が（１段ズーム）にセットされた１段ズームの見出語リスト画面Ｙ１の表示状態にあるか否か判断される（ステップＤ１→Ｄ２）。
【００９０】
ここで、前記「ズームオフ」での１段ズームの見出語リスト画面Ｙ１の表示状態ではなく、「ズームオン」での１段ズームの見出語リスト画面Ｙ１（図５（Ｂ２）（Ｃ２）参照）あるいは「ズームオフ」でのズーム無し見出語リスト画面Ｙ０（図５（Ｂ１）（Ｃ１）参照）の表示状態にあると判断された場合には、状態フラグメモリ１２ｂの状態フラグが検索語入力フラグ(1)にセットされ（ステップＤ２→Ｄ３）、検索語入力画面Ｘの表示状態に戻されると共に（ステップＤ４）、例えば図５（Ａ）で示すように、その検索語として検索語メモリ１２ｅに記憶されている前回入力済みの検索語「あいたあ」が表示される（ステップＤ５）。
【００９１】
一方、前記ステップＤ２において、「ズームオフ」での１段ズームの見出語リスト画面Ｙ１（図５（Ｂ２）（Ｃ２）参照）の表示状態であると判断された場合には、ズーム状態メモリ１２ｄにセットされているズーム状態データが（１段ズーム）から（ズーム無し）に書き換えられてセットされ（ステップＤ２→Ｄ６）、例えば図５（Ｂ１）（Ｃ１）に示すように、ズーム無しの見出語リスト画面Ｙ０に戻されて表示される（ステップＤ７）。
【００９２】
一方、入力部１６の「戻る／リスト」キー１６ｅが操作された際に、状態フラグメモリ１２ｂには情報表示フラグ(3)がセットされており、ズーム状態メモリ１２ｄには（２段ズーム）のズーム状態データがセットされている、例えば図４（Ｄ）で示したような２段ズームの情報表示画面Ｚ２の表示状態にあると判断された場合には（ステップＤ８→Ｄ９）、前記ズーム状態データが（１段ズーム）に書き戻されてセットされ（ステップＤ１０）、図４（Ｃ）で示すように、カーソル指定行Ｋの文字列を２４ドットの文字サイズに戻してウインドウ表示する１段ズームの情報表示画面Ｚ１に切り換え表示される（ステップＤ１１）。
【００９３】
また、前記ズーム状態メモリ１２ｄには（１段ズーム）のズーム状態データがセットされており、そのときのズームモードデータは「ズームオフ」にセットされている、例えば図４（Ｃ）あるいは図５（Ｄ２）で示したような１段ズームの情報表示画面Ｚ１の表示状態にあると判断された場合には（ステップＤ１２→Ｄ１３「Ｙｅｓ」）、前記ズーム状態データが（ズーム無し）に書き戻されてセットされ（ステップＤ１４）、図４（Ｂ）あるいは図５（Ｄ１）で示すように、その検索された見出語及び訳データの各文字列を１６ドットの通常文字サイズに戻して表示するズーム無しの情報表示画面Ｚ０に切り換え表示される（ステップＤ１５）。
【００９４】
さらに、前記ズーム状態データが（１段ズーム）で、ズームモードデータが「ズームオン」にセットされている、図５（Ｄ２）に示すような１段ズームの情報表示画面Ｚ１の表示状態にあると判断された場合には（ステップＤ１２→Ｄ１３「Ｎｏ」）、状態フラグメモリ１２ｂに対し見出語リストフラグ(2)がセットされて（ステップＤ１６）、検索語メモリ１２ｅに記憶されている検索語と一致する文字列を有する複数の見出語がデータベースメモリ１２ａに記憶されている辞書データベースから検索されて読み出され（ステップＤ１７）、図５（Ｃ２）に示すように、１段ズームの見出語リスト画面Ｙ１に戻されて表示される（ステップＤ１８）。
【００９５】
また、前記ズーム状態データが（ズーム無し）にセットされていて、図５（Ｄ１）に示すように、ズーム無しの情報表示画面Ｚ０の表示状態にあると判断された場合には（ステップＤ１２「Ｎｏ」）、状態フラグメモリ１２ｂに対し見出語リストフラグ(2)がセットされて（ステップＤ１９）、検索語メモリ１２ｅに記憶されている検索語と一致する文字列を有する複数の見出語がデータベースメモリ１２ａに記憶されている辞書データベースから検索されて読み出され（ステップＤ２０）、例えば図５（Ｂ１）あるいは（Ｃ１）に示すように、ズーム無しの見出語リスト画面Ｙ０に戻されて表示される（ステップＤ２１）。
【００９６】
図１２は前記電子辞書装置１０における「上・下カーソル」キー１６ｈ，１６ｉの操作対応処理を示すフローチャートである。
【００９７】
入力部１６における「↑カーソル」キー１６ｈ又は「↓カーソル」キー１６ｉが操作された際に、状態フラグメモリ１２ｂには見出語リストフラグ(2)がセットされており、例えば図５（Ｂ１）に示すようなズーム無しの見出語リスト画面Ｙ０あるいは図５（Ｂ２）に示すような１段ズームの見出語リスト画面Ｙ１の表示状態にあると判断された場合には（ステップＦ１「Ｙｅｓ」）、その反転表示されている見出語のカーソル指定行Ｋが、例えば図５（Ｃ１）あるいは図５（Ｃ２）に示すように、前記カーソル操作に応じた１行上又は１行下の見出語の位置に移動表示される（ステップＦ２）。
【００９８】
ここで、ズームモードメモリ１２ｃに対し「ズームオン」がセットされている、前記図５（Ｃ２）で示したような１段ズームの見出語リスト画面Ｙ１の表示状態にあると判断された場合には、これに伴い移動後のカーソル指定行Ｋの見出語の文字列が前記ズーム状態データ（１段ズーム）で指定される２４ドットの文字サイズで拡大されてウインドウ表示される（ステップＦ３→Ｆ４）。
【００９９】
また、入力部１６における「↑カーソル」キー１６ｈ又は「↓カーソル」キー１６ｉが操作された際に、状態フラグメモリ１２ｂには情報表示フラグ(3)がセットされており、例えば図４（Ｃ）に示すような１段ズームの情報表示画面Ｚ１あるいは図４（Ｄ）に示すような２段ズームの情報表示画面Ｚ２の表示状態であると判断された場合には（ステップＦ５→Ｆ６「Ｎｏ」）、何れもそのカーソル指定行Ｋが前記カーソル操作に応じた１行上又は１行下の文字列の位置に移動表示され（ステップＦ７）、当該移動後のカーソル指定行Ｋの文字列が前記ズーム状態データ（１段ズーム）又は（２段ズーム）で指定される２４ドット又は４８ドットの文字サイズで拡大されてウインドウ表示される（ステップＦ８）。
【０１００】
一方、前記状態フラグとして情報表示フラグ(3)がセットされている場合でも、ズーム状態として（ズーム無し）がセットされている、例えば図４（Ｂ）あるいは図５（Ｄ１）に示すようなズーム無しの情報表示画面Ｚ０の表示状態にあると判断された場合には、前記上・下カーソルキー１６ｈ，１６ｉの操作は無効として処理される（ステップＦ５→Ｆ６→リターン）。
【０１０１】
また、前記状態フラグとして検索語入力フラグ(1)がセットされている、例えば図４（Ａ）あるいは図５（Ａ）に示すような検索語入力画面Ｘの表示状態にあると判断された場合にも、前記「上・下カーソル」キー１６ｈ，１６ｉの操作は無効として処理される（ステップＦ５→リターン）。
【０１０２】
図１３は前記電子辞書装置１０における「前ページ・次ページ」キー１６ｆ，１６ｇの操作対応処理を示すフローチャートである。
【０１０３】
入力部１６における「△前ページ」キー１６ｆ又は「▽次ページ」キー１６ｇが操作された際に、状態フラグメモリ１２ｂには見出語リストフラグ(2)がセットされており、例えば図５（Ｂ１）（Ｃ１）に示すようなズーム無しの見出語リスト画面Ｙ０あるいは図５（Ｂ２）（Ｃ２）に示すような１段ズームの見出語リスト画面Ｙ１の表示状態にあると判断された場合には（ステップＧ１「Ｙｅｓ」）、データベースメモリ１２ａに記憶されている辞書データベースの中からその前ページ又は次ページに相当する複数の見出語が検索されて読み出され、同様のズーム無し見出語リスト画面Ｙ０あるいは１段ズームの見出語リスト画面Ｙ１として表示される（ステップＧ２）。
【０１０４】
ここで、ズームモードメモリ１２ｃに対し「ズームオン」がセットされている、前記図５（Ｂ２）（Ｃ２）で示したような１段ズームの見出語リスト画面Ｙ１の表示状態にあると判断された場合には、その前ページ又は次ページの新たな見出語の中でカーソル指定行Ｋの見出語の文字列が、ズーム状態データ（１段ズーム）で指定される２４ドットの文字サイズで拡大されてウインドウ表示される（ステップＧ３→Ｇ４）。
【０１０５】
また、入力部１６における「△前ページ」キー１６ｆ又は「▽次ページ」キー１６ｇが操作された際に、状態フラグメモリ１２ｂには情報表示フラグ(3)がセットされており、例えば図４（Ｂ）に示すようなズーム無しの情報表示画面Ｚ０あるいは図４（Ｃ）に示すような１段ズームの情報表示画面Ｚ１あるいは図４（Ｄ）に示すような２段ズームの情報表示画面Ｚ２の表示状態であると判断された場合には、何れの情報表示画面Ｚ０〜Ｚ２にあっても現在表示中の訳データに対し前記カーソル操作に応じた前ページ又は次ページの訳データが辞書データメモリ１２ａから検索され書き換えられて表示される（ステップＧ５→Ｇ６）。
【０１０６】
そして、ズーム状態データが（１段ズーム）又は（２段ズーム）にセットされている、１段ズームの情報表示画面Ｚ１（図４（Ｃ）参照）又は２段ズームの情報表示画面Ｚ２（図４（Ｄ）参照）の何れかのズーム表示状態にあると判断された場合には、そのカーソル指定行Ｋの文字列が前記ズーム状態データ（１段ズーム）又は（２段ズーム）で指定される２４ドット又は４８ドットの文字サイズで拡大されてウインドウ表示される（ステップＧ７→Ｇ８）。
【０１０７】
一方、前記状態フラグとして検索語入力フラグ(1)がセットされている、例えば図４（Ａ）あるいは図５（Ａ）に示すような検索語入力画面Ｘの表示状態にあると判断された場合には、前記「前ページ・次ページ」キー１６ｆ，１６ｇの操作は無効として処理される（ステップＧ５→リターン）。
【０１０８】
したがって、前記構成の電子辞書装置１０による辞書検索機能によれば、検索語入力画面Ｘにおいて「文字入力」キー１６ａを操作し、検索対象となる所望の語句の文字列を入力して表示させ、「訳／決定」キー１６ｄを操作すると、前記入力された検索語と一致する見出語が辞書データベースから検索されると共に、この検索された見出語に対応する意味内容などの訳データが読み出されて１６ドットの通常文字サイズのズーム無し情報表示画面Ｚ０として表示される。そして、「ズーム」キー１６ｃを操作すると、「上・下カーソル」キー１６ｈ，１６ｉにより移動指定される任意のカーソル指定行Ｋの文字列が２４ドットの文字サイズに拡大されて１段ズーム情報表示画面Ｚ１としてウインドウ表示され、さらに、「ズーム」キー１６ｃを操作すると、そのカーソル指定行Ｋの文字列は４８ドットの文字サイズに拡大されて２段ズーム情報表示画面Ｚ２として表示されるので、例えば検索表示された辞書データの中で字画が多く複雑な文字や難しい文字があったとしても、十分明らかに読み取ることが出来るようになる。
【０１０９】
また、前記構成の電子辞書装置１０による辞書検索機能によれば、前記検索表示された辞書データの中でカーソル指定行Ｋを所望の行に移動させることで、前記１段ズーム情報表示画面Ｚ１や２段ズーム情報表示画面Ｚ２に拡大表示される文字列は、その移動先のカーソル指定行Ｋの拡大文字列に入れ替えられるので、表示画面の大きさが限られていても、検索表示された辞書内容の全体の文字列を容易に拡大表示させながら明確に読み取ることが出来る。
【０１１０】
また、前記構成の電子辞書装置１０による辞書検索機能によれば、検索語入力画面Ｘにおいて「文字入力」キー１６ａを操作し、検索対象となる所望の語句の文字列を入力して表示させ、「訳／決定」キー１６ｄを操作すると、前記入力された検索語と一致する文字列を有する複数の見出語が辞書データベースから検索されて１６ドットの標準文字サイズのズーム無し見出語リスト画面Ｙ０として表示される。ここで、「ズーム」キー１６ｃを操作すると、「上・下カーソル」キー１６ｈ，１６ｉにより移動指定される任意のカーソル指定行Ｋの見出語文字列が２４ドットの文字サイズに拡大されて１段ズーム見出語リスト画面Ｙ１としてウインドウ表示され、所望の見出語を選択して「訳／決定」キー１６ｄを操作すると、当該選択拡大表示された見出語に対応する意味内容などの訳データが前記辞書データベースからが読み出され前記ズーム無し情報表示画面Ｚ０あるいは１段ズーム情報表示画面Ｚ１として表示されるので、視力の低いユーザや高齢のユーザであっても、前記１段ズーム見出語リスト画面Ｙ１の中から検索対象である所望の語句の見出語を容易に探し出して検索表示させることが出来る。
【０１１１】
さらに、前記構成の電子辞書装置１０による辞書検索機能によれば、「ズームモード」キー１６ｂの操作に応じてズームモードがオン／オフ切り換え設定され、ズームモード「オフ」の設定時には、前記「ズーム」キー１６ｃの操作に応じてカーソル指定行Ｋの文字列を拡大表示する１段ズーム見出語リスト画面Ｙ１や１段ズーム情報表示画面Ｚ１あるいは２段ズーム情報表示画面Ｚ２が表示され、ズームモード「オン」の設定時には、前記「訳／決定」キー１６ｄの操作に従った見出語リストや訳データの検索表示に際して、直ちに１段ズーム見出語リスト画面Ｙ１や１段ズーム情報表示画面Ｚ１が表示されてカーソル指定行Ｋの拡大ウインドウ表示が成されるので、予めズームモード「オン」に設定しておけば、所望の検索語に基づき辞書データを検索表示させる当初から２４ドットの文字サイズによる拡大表示を行うことが出来、特に視力の低いユーザや高齢のユーザにもより扱いやすい電子辞書装置１０を提供できる。
【０１１２】
なお、前記実施形態では、１段ズーム見出語リスト画面Ｙ１や１段ズーム情報表示画面Ｚ１あるいは２段ズーム情報表示画面Ｚ２にあって、カーソル指定行Ｋの１行分の文字列を２４ドットあるいは４８ドットの文字サイズに拡大してウインドウ表示する構成としたが、この行単位での拡大表示機能だけでなく、例えば図１４に示すように、カーソル指定行桁ＫＬの１文字を選択的に拡大表示する機能をも付加し、検索された辞書データをより詳細且つ明瞭に確認できる構成としてもよい。
【０１１３】
図１４は前記電子辞書装置１０の情報表示画面における文字単位での選択拡大表示状態を示す図である。
【０１１４】
なお、前記実施形態において記載した手法、すなわち、図６のフローチャートに示す辞書検索機能のメイン処理、このメイン処理に伴い実行される図７のフローチャートに示す「文字入力」キー１６ａの操作対応処理、図８のフローチャートに示す「ズームモード」キー１６ｂの操作対応処理、図９のフローチャートに示す「訳／決定」キー１６ｄの操作対応処理、図１０のフローチャートに示す「ズーム」キー１６ｃの操作対応処理、図１１のフローチャートに示す「戻る／リスト」キー１６ｅの操作対応処理、図１２のフローチャートに示す「上・下カーソル」キー１６ｈ，１６ｉの操作対応処理、図１３のフローチャートに示す「前ページ・次ページ」キー１６ｆ，１６ｇの操作対応処理等の各手法は、コンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、コンピュータは、この外部記憶媒体１３に記憶されたプログラムを記憶媒体読取部１４によってメモリ１２に読み込み、この読み込んだプログラムによって動作が制御されることにより、前記実施形態において説明した必要に応じ１段，２段ズーム可能な辞書検索機能を実現し、前述した手法による同様の処理を実行することができる。
【０１１５】
また、前記各手法を実現するためのプログラムのデータは、プログラムコードの形態としてネットワークＮ上を伝送させることができ、このネットワークＮに接続されたコンピュータ端末の電送制御部１５によって前記のプログラムデータを取り込み、前述した辞書検索機能を実現することもできる。
【図面の簡単な説明】
【０１１６】
【図１】本発明の情報表示装置の実施形態に係る電子辞書装置の電子回路の構成を示すブロック図。
【図２】前記電子辞書装置でズームモード（オン）に設定されている場合の動作状態の移り変わりを示す状態遷移図。
【図３】前記電子辞書装置でズームモード（オフ）に設定されている場合の動作状態の移り変わりを示す状態遷移図。
【図４】前記電子辞書装置でズームモード（オフ）に設定されている場合の辞書検索動作に伴う検索情報のズーム操作表示状態を示す図。
【図５】前記電子辞書装置における見出語からの辞書検索動作に伴う見出語リスト及び検索情報のズーム操作表示状態を示す図。
【図６】前記電子辞書装置における辞書検索機能のメイン処理を示すフローチャート。
【図７】前記電子辞書装置における「文字入力」キー１６ａの操作対応処理を示すフローチャート。
【図８】前記電子辞書装置における「ズームモード」キーの操作対応処理を示すフローチャート。
【図９】前記電子辞書装置における「訳／決定」キーの操作対応処理を示すフローチャート。
【図１０】前記電子辞書装置における「ズーム」キーの操作対応処理を示すフローチャート。
【図１１】前記電子辞書装置における「戻る／リスト」キーの操作対応処理を示すフローチャート。
【図１２】前記電子辞書装置における「上・下カーソル」キーの操作対応処理を示すフローチャート。
【図１３】前記電子辞書装置における「前ページ・次ページ」キーの操作対応処理を示すフローチャート。
【図１４】前記電子辞書装置の情報表示画面における文字単位での選択拡大表示状態を示す図。
【符号の説明】
【０１１７】
１０ …電子辞書装置
１１ …制御部（ＣＰＵ）
１２ …メモリ
１２ａ…データベースメモリ
１２ｂ…状態フラグメモリ
１２ｃ…ズームモードメモリ
１２ｄ…ズーム状態メモリ
１２ｅ…検索語メモリ
１２ｆ…指定行有無メモリ
１２ｇ…指定行データメモリ
１３ …外部記憶媒体
１４ …記憶媒体読取部
１５ …電送制御部
１６ …入力部
１６ａ…「文字入力」キー
１６ｂ…「ズームモード」キー
１６ｃ…「ズーム」キー
１６ｄ…「訳／決定」キー
１６ｅ…「戻る／リスト」キー
１６ｆ…「△前ページ」キー
１６ｇ…「▽次ページ」キー
１６ｈ…「↑カーソル」キー
１６ｉ…「↓カーソル」キー
１７ …表示部
Ｎ …通信ネットワーク
Ｘ …検索語入力画面
Ｙ０…ズーム無し見出語リスト画面
Ｙ１…１段ズーム見出語リスト画面
Ｚ０…ズーム無し情報表示画面
Ｚ１…１段ズーム情報表示画面
Ｚ２…２段ズーム情報表示画面
Ｋ …カーソル指定行
ＫＬ…カーソル指定行桁
【図１】
2006331443.tif 000003
【図２】
2006331443.tif 000004
【図３】
2006331443.tif 000005
【図４】
2006331443.tif 000006
【図５】
2006331443.tif 000007
【図６】
2006331443.tif 000008
【図７】
2006331443.tif 000009
【図８】
2006331443.tif 000010
【図９】
2006331443.tif 000011
【図１０】
2006331443.tif 000012
【図１１】
2006331443.tif 000013
【図１２】
2006331443.tif 000014
【図１３】
2006331443.tif 000015
【図１４】
2006331443.tif 000016